(57)【要約】【課題】マルチ画面の状態変化を検出し、運用者に知らせる、映像監視装置および映像監視プログラムを提供する。【解決手段】映像監視装置１は、リソース映像のリソース名、および、当該リソース映像の種類に応じた解析処理の内容を示す解析パターンが格納される設定ファイル２００が記憶される記憶手段２０と、マルチ画面を入力画像として読み込む映像読込手段１１と、入力画像をリソース映像ごとの子画面に分割してリソース名を抽出し、抽出したリソース名に対応する解析パターンを選択する解析パターン選択手段１２と、リソース映像ごとに、選択された解析パターンで示される解析処理を実行する解析処理手段１３と、解析処理により検知された各リソース映像の状態変化に関する結果情報を出力する監視結果出力手段１４とを備える。【選択図】図１
2020182118.tif 000002
【特許請求の範囲】
【請求項１】
複数のリソース映像を１画面に表示するマルチ画面における、各前記リソース映像を監視する映像監視装置であって、
前記マルチ画面における画面位置それぞれに対応付けて、前記リソース映像のリソース名、および、当該リソース映像の種類に応じた解析処理の内容を示す解析パターンが格納される設定ファイルが記憶される記憶手段と、
前記マルチ画面において前記リソース映像それぞれに当該リソース映像のリソース名が表示された入力画像を読み込む映像読込手段と、
前記入力画像を前記リソース映像ごとの子画面に分割し、前記子画面に表示された前記リソース名を文字認識して抽出し、前記設定ファイルを参照して、抽出したリソース名に対応する解析パターンを選択する解析パターン選択手段と、
前記リソース映像ごとに、選択された前記解析パターンで示される解析処理を実行する解析処理手段と、
前記解析処理により検知された各前記リソース映像の状態変化に関する結果情報を出力する監視結果出力手段と、
を備えることを特徴とする映像監視装置。
【請求項２】
前記解析パターンにより示される解析処理の内容は、前記リソース映像の画像切替の検知、前記リソース映像のフリーズの検知、前記リソース映像の白飛びの検知、前記リソース映像のデフォルト位置からの位置ずれの検知、前記リソース映像の無音の検知、のうち１つ以上を用いて規定されること
を特徴とする請求項１に記載の映像監視装置。
【請求項３】
前記監視結果出力手段は、前記解析処理により前記リソース映像の状態変化が検知されると、当該状態変化を示す音声情報を出力すること
を特徴とする請求項１または請求項２に記載の映像監視装置。
【請求項４】
前記監視結果出力手段は、前記解析処理により前記リソース映像の状態変化が検知されると、当該状態変化が検知されたリソース映像の前記マルチ画面における画面位置に、タリー映像を含めて表示させる出力画像を出力すること
を特徴とする請求項１ないし請求項３のいずれか１項に記載の映像監視装置。
【請求項５】
前記監視結果出力手段は、前記解析処理により前記リソース映像の状態変化が検知されると、前記タリー映像を含むマルチ画面を表示するマルチ画面領域と、前記解析処理により状態変化が検知されたリソース映像のリソース名、および、当該リソース映像の状態変化に関する結果情報を表示する画像変化表示領域と、を含む監視画面を生成して出力すること
を特徴とする請求項４に記載の映像監視装置。
【請求項６】
コンピュータを、請求項１ないし請求項５のいずれか１項に記載の映像監視装置として機能させるための映像監視プログラム。
【発明の詳細な説明】
【技術分野】
【０００１】
本発明は、マルチ画面に表示される各リソース映像を監視する、映像監視装置および映像監視プログラムに関する。
【背景技術】
【０００２】
従来より、テレビ放送局等において、その放送局外から、天気カメラ映像や中継、ニュース素材などの複数のリソース映像が、ＣＳ（Communication Satellites）、ＩＰ（Internet Protocol）ネットワーク、ＦＰＵ（Field Pickup Unit）等の伝送路を介して放送局に送られてくる。局外伝送は、常に安定運用（回線の安定、映像の安定）が求められ、通常、これらの複数のリソース映像をマルチ画面で表示し、運用者が目視で各リソース映像の状態を監視している。
【０００３】
一方、複数のリソース映像と現在放送中にオンエアされている映像を比較し、リソース映像と放送利用の映像の一致性を判定する技術が、特許文献１に開示されている。特許文献１に記載の技術によれば、複数のリソース映像を表示するマルチ画面において、いずれかのリソース映像と放送中にオンエアされている映像（放送利用映像）とが一致する場合に、オンエアしているそのリソース映像をタリー表示（リソース映像を囲むように枠で表示）することができる。
【先行技術文献】
【特許文献】
【０００４】
【特許文献１】特開２０１８−１５６３４４号公報
【発明の概要】
【発明が解決しようとする課題】
【０００５】
しかしながら、現在行われている、複数のリソース映像をマルチ画面で表示し、運用者が目視する方式では、以下に示すように、改善の余地がある。
ＩＰ回線による伝送では運用者が気付かないうちに運用（伝送）が始まってしまう。また、ＩＰ回線では、回線障害が発生してフリーズになってもアラームがあがらないため異常に気付きにくい。天気カメラ映像などは、映像の白飛びやデフォルトポジションからの位置ずれがあっても、運用者が注意深く見ておかないと気付かないことが多い。その他、スポーツ中継時は、本線と予備のＦＰＵ回線を常時監視することが難しい。
【０００６】
本発明は、以上のような点を鑑みてなされたものであり、マルチ画面の状態変化を検出し、運用者に知らせることができる、映像監視装置および映像監視プログラムを提供することを課題とする。
【課題を解決するための手段】
【０００７】
前記課題を解決するために、本発明の映像監視装置は、複数のリソース映像を１画面に表示するマルチ画面における、各リソース映像を監視する映像監視装置であって、記憶手段と、映像読込手段と、解析パターン選択手段と、解析処理手段と、監視結果出力手段と、を備える構成とした。
【０００８】
かかる構成によれば、映像監視装置は、映像読込手段によって、マルチ画面においてリソース映像それぞれに当該リソース映像のリソース名が表示された入力画像を読み込み、解析パターン選択手段が、入力画像をリソース映像ごとの子画面に分割し、子画面に表示されたリソース名を文字認識して抽出し、リソース映像の種類に応じた解析処理の内容を示す解析パターンが記憶された記憶手段を参照して、抽出したリソース名に対応する解析パターンを選択することができる。
これにより、映像監視装置は、マルチ画面に表示されたリソース映像をリソース名により特定し、その特定したリソース名のリソース映像の種類に応じた解析パターンを選択することができる。よって、映像監視装置は、リソース映像の種類に応じた最適な解析パターンの内容で、各リソース映像の解析処理を実行させることができる。
【０００９】
また、映像監視装置は、解析処理手段によって、リソース映像ごとに、選択された解析パターンで示される解析処理を実行し、監視結果出力手段が、解析処理により検知された各リソース映像の状態変化に関する結果情報を出力することができる。
これにより、映像監視装置は、リソース映像ごとの解析処理で検知された当該リソース映像の状態変化に関する結果情報を出力し、運用者等に知らせることができる。
【００１０】
このように、本発明の映像監視装置は、マルチ画面におけるリソース映像ごとに、そのリソース映像の状態変化を自動で出力するため、例えば、運用者等が素材伝送の開始や終了を確実に認識することができる。また、例えばフリーズや白飛び等の映像の異常によりリソース映像が状態変化した場合であっても、そのリソース映像の状態変化（異常）を確実に運用者等に知らせることができる。
【発明の効果】
【００１１】
本発明によれば、マルチ画面の状態変化を検出し、運用者に知らせる、映像監視装置および映像監視プログラムを提供することができる。
【図面の簡単な説明】
【００１２】
【図１】本実施形態に係る映像監視装置の構成を示す機能ブロック図である。
【図２】本実施形態に係る入力画像（マルチ画面）に付された文字情報を説明するための図である。
【図３】本実施形態に係る解析処理手段の構成を示す機能ブロック図である。
【図４】本実施形態に係る監視結果出力手段の構成を示す機能ブロック図である。
【図５】本実施形態に係る監視画面を例示する図である。
【図６】本実施形態に係る監視画面を例示する図である。
【図７】本実施形態に係る設定ファイルに保存される初期設定情報のデータ構成を例示する図である。
【図８】本実施形態に係る設定ファイルに保存される解析パターン設定情報のデータ構成を例示する図である。
【図９】本実施形態に係る映像監視装置の全体の処理の流れを示すフローチャートである。
【図１０】本実施形態に係る解析パターン１の処理の流れを示すフローチャートである。
【図１１】本実施形態に係る解析パターン２の処理の流れを示すフローチャートである。
【図１２】本実施形態に係る解析パターン３の処理の流れを示すフローチャートである。
【図１３】解析パターン３におけるフリーズ検知の具体例を説明するためのフローチャートである。
【図１４】解析パターン３における白飛び検知の具体例を説明するためのフローチャートである。
【図１５】解析パターン３における位置ずれ検知の具体例を説明するためのフローチャートである。
【図１６】本実施形態に係る解析パターン４の処理の流れを示すフローチャートである。
【図１７】解析パターン４におけるフリーズ検知の具体例を説明するためのフローチャートである。
【図１８】解析パターン４における無音検知の具体例を説明するためのフローチャートである。
【発明を実施するための形態】
【００１３】
以下、本発明を実施するための形態（以下、「実施形態」と称する。）について図面を参照して説明する。
≪映像監視装置の構成≫
まず、図１を参照して、映像監視装置１の構成について説明する。
図１は、本実施形態に係る映像監視装置１の構成を示す機能ブロック図である。
映像監視装置１は、天気カメラ映像や中継、ニュース素材などの複数のリソース映像を表示するマルチ画面を入力画像１０００として取り込む。そして、映像監視装置１は、その入力画像１０００をリソース毎に分割した上で、子画面に表示されているリソース名（文字情報）を文字認識する。映像監視装置１は、その文字認識の結果から解析パターンを選択し、各リソースに適合した解析処理を実行する。そして、映像監視装置１は、各リソース映像について、状態変化を検出したり、異常を検出した場合に、運用者に知らせるため、出力画像２０００にタリー表示を行ったり、音声アラームを出力したり等の監視結果の出力処理を実行する。
【００１４】
この映像監視装置１は、例えば、ＨＤ−ＳＤＩ（High Definition-Serial Digital Interface）入出力ボードによりマルチ画面で表示された複数のリソース映像を取り込む。また、映像監視装置１は、監視結果として、状態変化したリソースや異常を検知したリソースの画面をタリー表示した出力画像２０００を、ＨＤ−ＳＤＩ入出力ボードにより出力する。また、映像監視装置１には、スピーカ６が接続されており、状態変化や異常を示す音声情報をスピーカ６に出力する。
【００１５】
また、映像監視装置１には、モニタ５が接続されており、状態変化や異常を示す監視結果を監視画面３０００（後記する、図５，図６参照）として表示する。
なお、この映像監視装置１は、例えば放送局において、伝送回線を監視する設備に追加されて設置される。
この映像監視装置１は、図１に示すように、制御手段１０と、記憶手段２０と、入出力手段３０とを備える。
【００１６】
入出力手段３０は、情報の送受信を行うための通信インタフェース、および、キーボード等の入力装置や、モニタ５やスピーカ６等の出力装置との間で情報の送受信を行うための入出力インタフェースからなる。
具体的には、入出力手段３０は、例えば上記したＨＤ−ＳＤＩ入出力ボードを備え、リソース映像を表示するマルチ画面を入力画像１０００として取り込む。また、ＨＤ−ＳＤＩ入出力ボードを介して、状態変化や異常が検知されたリソース映像についてタリー表示したマルチ画面を出力画像２０００として出力する。
【００１７】
図１に示す入力画像１０００（および出力画像２０００）は、天気カメラ映像や中継、ニュース素材などの複数のリソース映像を１画面に表示する映像であり、図１の入力画像１０００においては、１画面を５×５分割した２５個のリソース映像を表示するマルチ画面を例示している。なお、このマルチ画面の分割数は、２５（５×５）画面に限定されず、例えば９（３×３）画面や、１６（４×４）画面等であってもよい。
【００１８】
このマルチ画面の入力画像１０００について詳細に説明する。
図２は、本実施形態に係る入力画像１０００に付された文字情報を説明するための図である。本実施形態に係る入力画像１０００には、各リソース映像の画像ごとに、その画像のリソースの内容を示すリソース名として文字情報が付されている。なお、２５分割されたマルチ画面上の位置を、図２で示すように、「Pic1」〜「pic25」として説明する。
【００１９】
図２に示す２５面のマルチ画面の場合、例えば、「Pic4」の画面位置にあるリソースの文字情報「ＨＤ−ＣＳ１」、「Pic6」の画面位置にあるリソースの文字情報「下関１」、「Pic9」の画面位置にあるリソースの文字情報「Ｎ４１」、「Pic16」の画面位置にあるリソースの文字情報「報道ＩＰ１」等のように、各リソース映像にリソース名が文字情報として付されている。
また、リソース映像に音声情報が付されている場合には、各リソース映像の画面の例えば左下に音声レベルメータが表示される（図示省略）。音声レベルメータは、音の大きさをレベルメータとして画面表示するものである。
【００２０】
図１に戻り、記憶手段２０は、フラッシュメモリやハードディスク、ＲＡＭ（Random Access Memory）等により構成される。また、この記憶手段２０には、マルチ画面の画面位置に対応付けて、リソース映像のリソース名や、リソース名を識別するための文字認識情報、各文字認識情報に対応付けた解析パターンの情報等が設定ファイル２００として記憶される（詳細は、後記する図７，図８参照）。さらに、この設定ファイル２００には、各リソース画像に対応付けて、解析処理を実行する際の各種パラメータが予め設定される。
また、この記憶手段２０には、制御手段１０の各機能を実行させるためのプログラム（映像監視プログラム）や、制御手段１０の処理に必要な情報が一時的に記憶される。
【００２１】
制御手段１０は、映像監視装置１の制御全般を司り、図１に示すように、映像読込手段１１、解析パターン選択手段１２、解析処理手段１３、監視結果出力手段１４、処理設定手段１５を含んで構成される。
この制御手段１０は、例えば、記憶手段２０に記憶されたプログラム（映像監視プログラム）を不図示のＣＰＵ（Central Processing Unit）が、ＲＡＭに展開し実行することにより実現される。
【００２２】
映像読込手段１１は、入出力手段３０に備わる、例えばＨＤ−ＳＤＩ入出力ボードを介して、マルチ画面で示される複数のリソース映像を入力画像１０００として読み込む。そして、映像読込手段１１は、読み込んだ入力画像１０００を、解析パターン選択手段１２に出力する。
【００２３】
解析パターン選択手段１２は、入力画像１０００をリソース単位の子画面に分割し、子画面に表示されている文字情報（リソース名）を文字認識する。解析パターン選択手段１２は、子画面から文字認識した文字列に一致する（部分一致も含む）文字情報を、予め設定ファイル２００（後記する初期設定情報２１０）に入力しておいた文字認識情報（図７参照）で示される文字列を参照して特定する。なお、子画面から文字認識した文字列と、設定ファイル２００に入力しておいた文字認識情報とのマッチングは、既存の文字認識技術の１つであるＮＣＣ（Normalized Cross Correlation）を利用して、類似度を評価することにより行ってもよい。
解析パターン選択手段１２は、特定した文字列（図７の文字認識情報）に対応する解析パターンを、設定ファイル２００（初期設定情報２１０）を用いて選択する。
この解析パターンの情報は、後記する解析処理手段１３の具体的な解析内容が示される情報であり、解析処理手段１３は、この解析パターンに沿って、各解析処理を実行する。
【００２４】
解析処理手段１３は、解析パターン選択手段１２によって選択された解析パターンごとに、画像切替検知、フリーズ検知、白飛び検知、無音検知、位置ずれ検知のうち、１つ以上を用いた解析処理を実行する。
ここで、図３を参照して、解析処理手段１３の構成について、さらに詳細に説明する。
図３に示すように、解析処理手段１３は、画像切替検知手段１３１と、フリーズ検知手段１３２と、白飛び検知手段１３３と、無音検知手段１３４と、位置ずれ検知手段１３５とを備える。
【００２５】
画像切替検知手段１３１は、デフォルト画像の種類に合わせて、そのデフォルト画像が切り替わったことを検知する。なお、デフォルト画像が何であるかは、予め記憶手段２０内の設定ファイル２００（具体的には、図７の初期設定情報２１０）に記憶しておく。
（１）画像切替検知手段１３１は、デフォルト画像が無信号（フリーズ画像）である場合に、前フレームと現フレームの画素ごとの輝度レベルの演算処理を行い、変化があれば映像が切り替わったと検知する。
【００２６】
（２）画像切替検知手段１３１は、デフォルト画像が天気カメラ画像である場合に、その画像の特徴量に基づき画像切替を検知する。具体的には、画像中の特徴点として、例えばエッジのような輝度変化が大きい位置を抽出し、その特徴点周辺領域の輝度勾配の情報から勾配方向のヒストグラム（特徴量）を算出する。そして２画面の特徴量のマッチング処理を行い、マッチングにより得られたマッチングコストの値が所定の閾値未満のときに、画像切替検知手段１３１が、その２画面が異なると判定する。これにより、画像切替検知手段１３１は、画面が切り替わったことを検知することができる。
また、画像切替検知手段１３１は、テンプレートマッチングの技術であるＮＣＣ（Normalized Cross Correlation：正規化相互相関）を用いて画像切替を検知してもよい。ＮＣＣでは、予め登録しておいたテンプレート画像と、対象とする入力画像とで類似度を評価することにより、画像切替を検知することができる。
【００２７】
（３）画像切替検知手段１３１は、デフォルト画像が、カラーバー、グリーン画像、青縞画像等の特徴的な色を持つ画像である場合に、色のヒストグラムを取得し、色情報をもとに画像の切り替わりを検知する。
【００２８】
フリーズ検知手段１３２は、前フレームと現フレームの画素ごとの輝度レベルの演算処理を行い、前後の画像が所定フレーム以上一致した場合にフリーズであると検知する。
また、白飛び検知手段１３３は、画像の輝度レベルを算出し、設定した閾値を上回った場合に白飛びであると検知する。
【００２９】
無音検知手段１３４は、分割された子画面のリソース映像に表示される音声レベルメータと、無音時の音声レベルメータと比較し、これらの画像が所定フレーム以上一致した場合に、無音であると検知する。
【００３０】
位置ずれ検知手段１３５は、デフォルト位置の画像と現時点の画像とで、位置ずれが生じているかについて特徴量を検出することにより判定する。位置ずれ検知手段１３５は、予め設定しておいた所定の閾値を超えて位置がずれている場合に、位置ずれが発生していると検知する。
【００３１】
図１に戻り、監視結果出力手段１４は、解析処理手段１３で検知されたリソース映像の状態変化や異常に関する結果情報を出力する。
ここで、図４を参照して、監視結果出力手段１４の構成について、さらに詳細に説明する。
図４に示すように、監視結果出力手段１４は、タリー出力手段１４１と、音声出力手段１４２と、監視画面表示手段１４３と、ログ出力手段１４４とを備える。
【００３２】
タリー出力手段１４１は、解析処理手段１３の画像切替検知手段１３１が、あるリソース画像でカラーバーから伝送中の画像に切り替わったことを検知した場合に、マルチ画面のうち、伝送中のリソース画像について、例えば緑枠のタリー映像を出力する。また、画像切替検知手段１３１は、伝送の終了を検知した場合に、所定の時間、例えば黄枠のタリー映像を出力する。
また、タリー出力手段１４１は、解析処理手段１３のフリーズ検知手段１３２、白飛び検知手段１３３、無音検知手段１３４および位置ずれ検知手段１３５が、異常を検知した場合に、マルチ画面のうち、その異常を検知したリソース画像について、例えば赤枠のタリー映像を出力する。
【００３３】
図１の出力画像２０００は、画面位置が「Pic17」および「Pic25」のリソース映像において、異常が検知されたため赤枠のタリーの映像を出力した例を示している。このように、画像の状態変化や、異常が複数のリソース画面で同時に検出された場合には、タリー出力手段１４１は、複数のタリー映像を同時に出力するようにする。
【００３４】
図４に戻り、音声出力手段１４２は、解析処理手段１３が、画像の切り替わりや、異常を検知した場合に、予め設定しておいた音声情報を、音声アラームとしてスピーカ６に出力する。
例えば、解析処理手段１３の画像切替検知手段１３１が、リソース映像の状態変化として、伝送開始を検知した場合に、「伝送開始しました。」等を音声アラームとして出力させる。
また、音声出力手段１４２は、フリーズ検知手段１３２、白飛び検知手段１３３、無音検知手段１３４および位置ずれ検知手段１３５が異常を検知した場合には、運用者に注意を促す警報音を音声情報としてスピーカ６に出力する。
なお、これらの音声アラームを出力するための音声情報は、予め記憶手段２０に格納しておく。
【００３５】
監視画面表示手段１４３は、解析処理手段１３がリソース映像の状態変化や異常を検知した場合に、映像監視装置１に接続するモニタ５に表示された監視画面において、その状態変化や異常検知を表示する。
図５は、本実施形態に係る状態変化検出時の監視画面３０００を例示する図である。
この監視画面３０００は、タリー出力手段１４１が出力するタリー映像を含むマルチ画面を表示する領域（以下「マルチ画面領域３１００」と称する。）と、状態変化や異常の検知を表示する領域（以下、「画像変化表示領域３２００」と称する。）と、最新のログを表示する領域（以下、「ログ表示領域３３００」と称する。）とを含んで画面構成される。
【００３６】
監視画面表示手段１４３は、解析処理手段１３の画像切替検知手段１３１が、リソース映像の状態が変化して、伝送開始を検知した場合、画像変化表示領域３２００に、例えば、緑色の背景でそのリソース名と状態（例えば、「ＨＤ−ＣＳ１  伝送中」）を表示する。
また、監視画面表示手段１４３は、図５の監視画面３０００（「ＨＤ−ＣＳ１  伝送中」）の後に、「下関ＩＰ」のフリーズ検知のアラームを検出した場合には、図６の監視画面３０００に示すように、画像変化表示領域３２００に、赤色の背景でそのリソース名と状態を、例えば、「下関ＩＰ  フリーズ検知」のように表示させる。なお、このとき、「ＨＤ−ＣＳ１  伝送中」は、図６のタブ３２０１として表示するようにしてもよい。
【００３７】
図４に戻り、ログ出力手段１４４は、解析処理手段１３が検知したリソース映像の状態変化や異常に関する情報を、ログ情報として、記憶手段２０に記憶する。
また、ログ出力手段１４４は、記憶手段２０に記憶されたログ情報を、上記した監視画面表示手段１４３を介して監視画面３０００のログ表示領域３３００に表示させる。
【００３８】
なお、監視結果出力手段１４が備える、タリー出力手段１４１、音声出力手段１４２、監視画面表示手段１４３およびログ出力手段１４４については、解析処理手段１３の各解析処理により、画像切替や異常が検知されると、その解析結果の出力処理を即時に実行する。また、このタリー出力手段１４１、音声出力手段１４２、監視画面表示手段１４３、ログ出力手段１４４のうち、１つ以上の任意の機能を選択して予め設定しておくことにより、所望の機能を選択して解析結果を出力するようにしてもよい。
【００３９】
図１に戻り、処理設定手段１５は、各リソース映像を解析する際の初期設定の情報や、解析パターンの情報、各解析処理を実行するためのパラメータ等を、設定ファイル２００として記憶手段２０に記憶する。
【００４０】
図７は、本実施形態に係る設定ファイル２００に保存される初期設定情報２１０のデータ構成を例示する図である。
初期設定情報２１０には、マルチ画面の画面位置２１１に対応付けて、リソース名２１２、文字認識情報２１３、解析パターン２１４およびデフォルト画像２１５が記憶される。
【００４１】
リソース名２１２は、その画面位置２１１に表示されるリソース映像の名称である。
文字認識情報２１３は、解析パターン選択手段１２がマルチ画面を分割した子画面に表示されている文字情報（リソース名）と比較して、文字認識するための情報である。
例えば、リソース名２１２が「局外１」の文字認識情報２１３として「局外１」が登録される。リソース名２１２が「ＨＤ−ＣＳ１」「ＨＤ−ＣＳ２」の文字認識情報２１３として「ＨＤ−ＣＳ」が登録される。リソース名２１２が「錦帯橋カメラ」の文字認識情報２１３として「錦帯橋カメラ」が登録される。なお、例えば、リソース名２１２が「報道ＩＰ１」「報道ＩＰ２」・・・「報道ＩＰ８」のように、解析パターン２１４やデフォルト画像２１５が同じである場合には、文字認識情報２１３として、数字を除いた共通する文字部分である「報道ＩＰ」を文字認識情報２１３として登録することができる。
【００４２】
解析パターン２１４には、文字認識情報２１３に対応付けて解析処理手段１３が実行する各種の解析処理（画像切替検知、フリーズ検知、白飛び検知、無音検知、位置ずれ検知等）の１つ以上を用いて規定される解析パターンの識別情報が格納される。
【００４３】
デフォルト画像２１５には、各リソース映像の解析処理前の初期画像が格納される。
例えば、リソース名２１２が「局外１」や「ＨＤ−ＣＳ１」であればデフォルト画像２１５として「グリーン画像」が登録される。リソース名２１２が「錦帯橋カメラ」であればデフォルト画像２１５として「天気カメラ画像」が登録される。リソース名２１２が「報道ＩＰ１」であればデフォルト画像２１５として「フリーズ画像」が登録される。なお、このデフォルト画像２１５として、複数の画像が登録されてもよい。その場合、例えば、位置ずれ検知手段１３５（図３）は、複数枚のデフォルト画像のうちのいずれか１枚と類似度が高ければデフォルト位置（位置ずれが生じていない）と判定することができる。
【００４４】
図８は、本実施形態に係る設定ファイル２００に保存される解析パターン設定情報２２０のデータ構成を例示する図である。
解析パターン設定情報２２０は、画像切替検知、フリーズ検知、白飛び検知、無音検知、位置ずれ検知等のうち、いずれの解析処理を解析処理手段１３に実行させるかについて、リソース映像の種類に応じて解析処理の内容（処理のシナリオ）を設定（パターン化）しておくものである。
【００４５】
例えば、「解析パターン１」は、デフォルト画像としての「グリーン画像」の画像切替検知を行い、切り替わった画像であるカラーバーに（点滅）表示されている文字の文字認識を行い、伝送中と伝送終了の状態変化を画像切替に基づき検知するという処理内容を規定している。「解析パターン２」は、デフォルト画像からの伝送開始を画像切替検知により行い、また、伝送終了の検知を画像のフリーズ検知で行うことにより、伝送中と伝送終了の状態変化を解析するという処理内容を規定している。「解析パターン３」は、デフォルト映像（例えば、天気カメラ画像）のフリーズ検知、白飛び検知、位置ずれ検知を行うという処理内容を規定している。「解析パターン４」は、デフォルト画像からの画像切替検知を行い、伝送中の画像のフリーズ検知、無音検知を行うという処理内容を規定している。
以下、解析処理の組み合わせを例えば、「解析パターン５」〜「解析パターン９」のように、リソース映像の種類に対応させて、その処理内容を規定しておく。
【００４６】
また、この設定ファイル２００には、リソース映像毎に、解析パターンで示される解析処理で必要となる各種パラメータが設定される。
例えば、フリーズ検知において、画像がフリーズしたことを判定する閾値や、白飛び検知において、画像の白飛びを判定する所定の輝度の値や、位置づけ検知において、デフォルト位置からの位置ずれの所定値等が、各種パラメータとして設定される。また、各種の検知を確定するための所定の経過時間についての閾値（後記する、所定時間「ｋ」「ｍ」「ｐ」等）も予めこの設定ファイル２００に登録される。
【００４７】
処理設定手段１５は、上記した初期設定情報２１０や各種パラメータの情報の入力画面を、入出力手段３０を介してモニタ５に表示させ、運用者等に入力させることにより、記憶手段２０に記憶する。例えば、図５の監視画面３０００の「設定」タグ３００１を選択（クリック）することにより、初期設定情報２１０や各種パラメータの情報の入力画面を表示させ、運用者等に入力させてもよい。その他にも、処理設定手段１５は、初期設定情報２１０や各種パラメータの情報を、外部装置等から取り込んで記憶手段２０に記憶するようにしてもよい。
なお、処理設定手段１５は、解析処理を実行しない設定に変更するモード（保守モード）がリソース映像ごとに選択できる画面をモニタ５に表示させ、運用者等にその保守モードを選択させることにより、解析処理が不要な特定のリソース映像についての解析処理を実行させないようにしてもよい。
【００４８】
≪映像監視装置の動作≫
次に、図９〜図１８を参照して、映像監視装置１の動作について説明する。
まず、映像監視装置１の全体の処理の流れについて説明する。なお、ここでは、設定ファイル２００の情報として、初期設定情報２１０（図７）、解析パターン設定情報２２０（図８）、各種パラメータの情報が記憶手段２０に予め登録され、制御手段１０が処理可能な状態として読み込んであるものとして説明する。
【００４９】
図９は、本実施形態に係る映像監視装置１の全体の処理の流れを示すフローチャートである。
まず、映像監視装置１の映像読込手段１１は、入出力手段３０（例えばＨＤ−ＳＤＩ入出力ボード）を介して、マルチ画面で示される複数のリソース映像を入力画像１０００として読み込む（ステップＳ１）。
【００５０】
続いて、解析パターン選択手段１２が、入力画像１０００をリソース単位の子画面に分割し、子画面に表示されている文字情報を既存の文字認識の手法を用いて抽出する（ステップＳ２）。そして、解析パターン選択手段１２は、記憶手段２０に記憶された設定ファイル２００の初期設定情報２１０（図７）を参照し、抽出した文字情報と、初期設定情報２１０の文字認識情報２１３とを比較して、一致する文字列を特定し、その特定した文字列に対応する解析パターンを、リソース映像（子画面）毎に選択する（ステップＳ３）。このステップＳ１〜Ｓ３までの処理が、映像監視装置１が初期設定で実行する処理である。
【００５１】
続いて、解析処理手段１３が、リソース映像それぞれについて、選択した解析パターンでの解析処理を実行する（ステップＳ４）。なお、解析処理手段１３は、分割した子画面（リソース映像）について所定の順（例えば、「Pic1」，「Pic2」，…，「Pic25」の順）に解析処理を実行する。
そして、監視結果出力手段１４が、各リソース映像について、解析処理手段１３で検知されたリソース映像の状態変化や異常に関する結果情報を出力する（ステップＳ５）。
【００５２】
次に、映像監視装置１（解析処理手段１３および監視結果出力手段１４）は、システム終了の指示情報を受信したか否かを判定する（ステップＳ６）。そして、システム終了の指示情報を受信していなければ（ステップＳ６→Ｎｏ）、ステップＳ４に戻り、ステップＳ４〜ステップＳ５の処理を繰り返す。つまり、分割した子画面（リソース映像）についての解析処理を繰り返す。一方、システム終了の指示情報を受信した場合には（ステップＳ６→Ｙｅｓ）、映像監視装置１は、処理を終了する。
【００５３】
なお、入力画像１０００のマルチ画面において、リソース映像の配置や名称の変更があった場合には、映像監視装置１は、処理を中止し、Initialize（初期化）して、設定ファイル２００を再度読み込んだ上で、ステップＳ１からの処理を実行する。
【００５４】
次に、各解析パターンの具体例として、解析パターン１〜解析パターン４について説明する。図８に示した、その他の解析パターン５〜解析パターン９については、解析パターン１〜解析パターン４において実行される個々の解析処理と同様の処理の組み合わせであるため説明を省略する。
なお、以下、図９のステップＳ４〜ステップＳ５にかけて、分割された子画面のリソース映像における解析パターンによる処理が実行されるものとして説明する。
【００５５】
＜解析パターン１＞
図１０は、解析パターン１の処理の流れを示すフローチャートである。画面位置が「Pic4」でありリソース名が「ＨＤ−ＣＳ１」のリソース映像を解析処理する例「解析パターン１」について説明する。
【００５６】
ここでは、図９のステップＳ１〜Ｓ３の初期設定において、映像監視装置１の解析パターン選択手段１２が、「Pic4」の子画面に表示されている文字情報として「ＨＤ−ＣＳ１」を抽出し、設定ファイル２００内の初期設定情報２１０を参照して、文字認識情報２１３のうち「ＨＤ−ＣＳ」を特定することにより、解析パターン１を選択しているものとする。
【００５７】
映像監視装置１の解析処理手段１３は、解析処理が開始されると、設定ファイル２００の解析パターン設定情報２２０（図８）の「解析パターン１」で示される処理内容（シナリオ）を実行する。
【００５８】
具体的には、まず、画像切替検知手段１３１がデフォルト画像である「グリーン画像」からの画像切替を監視する。そして、画像切替検知手段１３１が、ＨＤ−ＣＳ１のデフォルト画像「グリーン画像」がカラーバーの映像に切り替わったことを検知する（ステップＳ１０１）。続いて、画像切替検知手段１３１は、カラーバーに点滅表示されている文字列を文字認識し（ステップＳ１０２）、予め登録しておいた文字（ここでは、「ＦＨ−４６カラーバー」とする。）であると判定する。すると、監視結果出力手段１４のタリー出力手段１４１が、当該リソース画像について、緑枠のタリー映像を出力し（ステップＳ１０３−１）、音声出力手段１４２が「ＨＤ−ＣＳ１でＦＨ−４６カラーバー受信開始しました。」という音声をスピーカ６から出力する（ステップＳ１０３−２）。また、監視画面表示手段１４３は、モニタ５に表示されている監視画面３０００の画像変化表示領域３２００（図５）に「ＨＤ−ＣＳ１  伝送中」を表示する（ステップＳ１０３−３）。
なお、このステップＳ１０３−１，Ｓ１０３−２，Ｓ１０３−３の各処理は、並列に実行される。このステップ番号に枝番を付している処理は、以下に示すフローチャートにおいても、並列に実行される処理である。
【００５９】
次に、画像切替検知手段１３１が、「ＨＤ−ＣＳ１」の画像について、素材伝送後に、デフォルト画像（グリーン画像）に切り替わったことを検知する（ステップＳ１０４）。すると、監視結果出力手段１４のタリー出力手段１４１が、緑枠のタリー映像の出力を止め（緑枠のタリーを消灯）（ステップＳ１０５−１）、音声出力手段１４２が「ＨＤ−ＣＳ１で伝送終了しました。」という音声をスピーカ６から出力する（ステップＳ１０５−２）。また、監視画面表示手段１４３は、モニタ５に表示されている監視画面３０００の画像変化表示領域３２００に「ＨＤ−ＣＳ１  伝送終了」を表示する（ステップＳ１０５−３）。
【００６０】
なお、図示は省略しているが、監視結果出力手段１４のログ出力手段１４４は、ステップＳ１０３およびステップＳ１０５において、「ＨＤ−ＣＳ１  伝送開始」、「ＨＤ−ＣＳ１  伝送終了」の情報それぞれをその日時とともに、ログ情報として記憶手段２０に記憶するとともに、監視画面３０００（図５）のログ表示領域３３００に表示させる。
【００６１】
このようにすることで、解析パターン１の処理により、映像監視装置１は、ＨＤ−ＣＳ１の伝送開始と伝送終了を、運用者に確実に認識させることができる。
【００６２】
＜解析パターン２＞
図１１は、解析パターン２の処理の流れを示すフローチャートである。画面位置が「Pic16」でありリソース名が「報道ＩＰ１」のリソース映像を解析処理する例「解析パターン２」について説明する。
【００６３】
ここでは、図９のステップＳ１〜Ｓ３の初期設定において、映像監視装置１の解析パターン選択手段１２が、「Pic16」の子画面に表示されている文字情報として「報道ＩＰ１」を抽出し、設定ファイル２００内の初期設定情報２１０を参照して、文字認識情報２１３のうち「報道ＩＰ」を特定することにより、解析パターン２を選択しているものとする。
【００６４】
映像監視装置１の解析処理手段１３は、解析処理が開始されると、設定ファイル２００の解析パターン設定情報２２０（図８）の「解析パターン２」で示される処理内容（シナリオ）を実行する。
【００６５】
具体的には、まず、画像切替検知手段１３１が、「報道ＩＰ１」に画面表示されている画像をキャプチャし、前後比較することにより、画像が切り替わったか否かを判定する（ステップＳ２０１）。なお、「報道ＩＰ１」のデフォルト画像は、「フリーズ画像」である。画像切替検知手段１３１は、画像が切り替わっていないと判定した場合には（ステップＳ２０１→Ｎｏ）、処理を終了し、次の順の子画面の解析処理に移る。一方、画像が切り替わったと判定（検知）した場合には（ステップＳ２０１→Ｙｅｓ）、監視結果出力手段１４のタリー出力手段１４１が、当該リソース画像について、緑枠のタリー映像を出力し（ステップＳ２０２−１）、音声出力手段１４２が「報道ＩＰ１で伝送開始しました。」という音声をスピーカ６から出力する（ステップＳ２０２−２）。また、監視画面表示手段１４３は、モニタ５に表示されている監視画面３０００（図５）の画像変化表示領域３２００に「報道ＩＰ１  伝送中」を表示する（ステップＳ２０２−３）。
【００６６】
続いて、フリーズ検知手段１３２が、「報道ＩＰ１」に画面表示されている画像をキャプチャし、前後比較することにより、前後画像が同じであるかを判定する（ステップＳ２０３）。そして、フリーズ検知手段１３２が、前後画像が同じではないと判定した場合には（ステップＳ２０３→Ｎｏ）、処理を終了する（次ステップの経過時間のカウント（ｎ）＝０とする）。
【００６７】
一方、ステップＳ２０３において、フリーズ検知手段１３２が、前後画像が同じであると判定した場合（ステップＳ２０３→Ｙｅｓ）、つまり、「フリーズ画像」であることを検知した場合には、検知した時点からの経過時間をカウント（ｎ）する（ステップＳ２０４）。
【００６８】
そして、タリー出力手段１４１は、「カウント（ｎ）≦ｋ」（例えば、ｋ＝10秒）の場合に、緑枠のタリー映像の出力を続け（ステップＳ２０５）、処理を終了する。また、タリー出力手段１４１は、「カウント（ｎ）＞ｋ」の場合に、黄枠のタリー映像を出力し（ステップＳ２０６）、処理を終了する。そして、タリー出力手段１４１は、「カウント（ｎ）＞ｍ」（ｍ＞ｋ、例えば、ｍ＝60秒）の場合に、黄枠のタリー映像の出力を止め（消灯し）（ステップＳ２０７）、処理を終了する。
【００６９】
なお、図示は省略しているが、監視結果出力手段１４のログ出力手段１４４は、ステップＳ２０２およびステップＳ２０７において、「報道ＩＰ１  伝送開始」、「報道ＩＰ１  伝送終了」の情報それぞれをその日時とともに、ログ情報として記憶手段２０に記憶するとともに、監視画面３０００（図５）のログ表示領域３３００に表示させる。
【００７０】
このようにすることで、解析パターン２の処理により、運用者は、報道ＩＰ１の伝送開始と伝送終了を確実に認識することができる。
【００７１】
＜解析パターン３＞
図１２は、解析パターン３の処理の流れを示すフローチャートである。画面位置が「Pic13」でありリソース名が「錦帯橋カメラ」のリソース映像を解析処理する例「解析パターン３」について説明する。
【００７２】
ここでは、図９のステップＳ１〜Ｓ３の初期設定において、映像監視装置１の解析パターン選択手段１２が、「Pic13」の子画面に表示されている文字情報として「錦帯橋カメラ」を抽出し、設定ファイル２００内の初期設定情報２１０を参照して、文字認識情報２１３のうち「錦帯橋カメラ」を特定することにより、解析パターン３を選択しているものとする。
【００７３】
映像監視装置１の解析処理手段１３は、設定ファイル２００の解析パターン設定情報２２０（図８）の「解析パターン３」で示される処理内容（シナリオ）として、フリーズ検知（ステップＳ３１０：図１３参照）、白飛び検知（ステップＳ３２０：図１４参照）、位置ずれ検知（ステップＳ３３０：図１５参照）を実行する。なお、「錦帯橋カメラ」のデフォルト画像は、天気カメラ画像である。
【００７４】
（フリーズ検知）
図１３は、解析パターン３におけるフリーズ検知の具体例を説明するためのフローチャートである。
まず、フリーズ検知手段１３２は、「錦帯橋カメラ」のリソース映像に表示されている画像をキャプチャし、前後比較することにより、前後画像が同じであるかを判定する（ステップＳ３１１）。そして、フリーズ検知手段１３２が、前後画像が同じではないと判定した場合には（ステップＳ３１１→Ｎｏ）、処理を終了する（次ステップの経過時間のカウント（ｎ）＝０とする）。このとき、その以前にフリーズ検知されており、その後フリーズ検知が解消したときには、赤枠のタリーを消灯して（ステップＳ３１２）、処理を終了する。一方、フリーズ検知手段１３２が、前後画像が同じであると判定した場合（ステップＳ３１１→Ｙｅｓ）、つまり、「フリーズ画像」であることを検知した場合には、検知した時点からの経過時間をカウント（ｎ）する（ステップＳ３１３）。
【００７５】
そして、フリーズ検知手段１３２は、「カウント（ｎ）＞ｋ」（例えば、ｋ＝30分）となっているか、つまり、経過時間のカウント（ｎ）が所定時間ｋを超えているかを判定する（ステップＳ３１４）。フリーズ検知手段１３２は、カウント（ｎ）が所定時間ｋを超えていなければ（ステップＳ３１４→Ｎｏ）、処理を終了する。一方、フリーズ検知手段１３２は、カウント（ｎ）が所定時間ｋを超えていると判定すると（ステップＳ３１４→Ｙｅｓ）、監視結果出力手段１４が、次の処理を実行する。
【００７６】
タリー出力手段１４１は、当該リソース画像について、赤枠のタリー映像を出力し（ステップＳ３１５−１）、音声出力手段１４２がアラーム音（異常を知らせる警報音）をスピーカ６から出力する（ステップＳ３１５−２）。また、監視画面表示手段１４３は、モニタ５に表示されている監視画面３０００（図５）の画像変化表示領域３２００に「錦帯橋カメラ  フリーズ検知」を表示する（ステップＳ３１５−３）。
【００７７】
（白飛び検知）
図１４は、解析パターン３における白飛び検知の具体例を説明するためのフローチャートである。
まず、白飛び検知手段１３３は、「錦帯橋カメラ」に表示されている画像について、輝度レベルを算出し、設定した所定の閾値を上回っているか、つまり、白飛びしているか否かを判定する（ステップＳ３２１）。そして、白飛び検知手段１３３が、画像の輝度が所定の閾値を上回っていない、つまり、白飛びしていないと判定した場合には（ステップＳ３２１→Ｎｏ）、処理を終了する（次ステップの経過時間のカウント（ｎ）＝０とする）。このとき、その以前に白飛び検知されており、その後白飛び検知が解消したときには、赤枠のタリーを消灯して（ステップＳ３２２）、処理を終了する。一方、白飛び検知手段１３３が、画像の輝度が所定の閾値を上回っている、つまり、白飛びしていると判定（検知）した場合には（ステップＳ３２１→Ｙｅｓ）、検知した時点からの経過時間をカウント（ｎ）する（ステップＳ３２３）。
【００７８】
そして、白飛び検知手段１３３は、「カウント（ｎ）＞ｐ」（例えば、ｐ＝15分）となっているか、つまり、経過時間のカウント（ｎ）が所定時間ｐを超えているかを判定する（ステップＳ３２４）。白飛び検知手段１３３は、カウント（ｎ）が所定時間ｐを超えていなければ（ステップＳ３２４→Ｎｏ）、処理を終了する。一方、白飛び検知手段１３３が、カウント（ｎ）が所定時間ｐを超えていると判定すると（ステップＳ３２４→Ｙｅｓ）、監視結果出力手段１４が次の処理を実行する。
【００７９】
タリー出力手段１４１は、当該リソース画像について、赤枠のタリー映像を出力し（ステップＳ３２５−１）、音声出力手段１４２がアラーム音（異常を知らせる警報音）をスピーカ６から出力する（ステップＳ３２５−２）。また、監視画面表示手段１４３は、モニタ５に表示されている監視画面３０００（図５）の画像変化表示領域３２００に「錦帯橋カメラ  白飛び検知」を表示する（ステップＳ３２５−３）。
【００８０】
（位置ずれ検知）
図１５は、解析パターン３における位置ずれ検知の具体例を説明するためのフローチャートである。
まず、位置ずれ検知手段１３５は、「錦帯橋カメラ」に表示されている画像について、デフォルト位置の画像と現時点の画像とで、位置ずれが生じているかについて特徴量を検出することにより判定する（ステップＳ３３１）。なお、位置ずれ検知手段１３５は、デフォルト画像として、昼の画像、夜の画像、その他の所定の時の画像（例えば、選挙期間中の特定のデフォルト画像等）の複数枚の画像を予め登録しておく。そして、位置ずれ検知手段１３５は、複数枚の画像のうちのいずれか１枚と類似度が高ければ、デフォルト位置であると判定するようにしてもよい。
ステップＳ３３１において、位置ずれ検知手段１３５がデフォルト位置から所定量を超えてずれていない、つまり、位置ずれしていないと判定した場合には（ステップＳ３３１→Ｎｏ）、処理を終了する（次ステップの経過時間のカウント（ｎ）＝０とする）。このとき、その以前に位置ずれ検知されており、その後位置ずれ検知が解消したときには、赤枠のタリーを消灯して（ステップＳ３３２）、処理を終了する。一方、位置ずれ検知手段１３５が、デフォルト位置から所定量を超えて位置ずれしていると判定（検知）した場合には（ステップＳ３３１→Ｙｅｓ）、検知した時点からの経過時間をカウント（ｎ）する（ステップＳ３３３）。
【００８１】
そして、位置ずれ検知手段１３５は、「カウント（ｎ）＞ｍ」（例えば、ｍ＝30分）となっているか、つまり、経過時間のカウント（ｎ）が所定時間ｍを超えているかを判定する（ステップＳ３３４）。位置ずれ検知手段１３５は、カウント（ｎ）が所定時間ｍを超えていなければ（ステップＳ３３４→Ｎｏ）、処理を終了する。一方、位置ずれ検知手段１３５が、カウント（ｎ）が所定時間ｍを超えていると判定すると（ステップＳ３３４→Ｙｅｓ）、監視結果出力手段１４が次の処理を実行する。
【００８２】
タリー出力手段１４１は、当該リソース画像について、赤枠のタリー映像を出力し（ステップＳ３３５−１）、音声出力手段１４２がアラーム音（異常を知らせる警報音）をスピーカ６から出力する（ステップＳ３３５−２）。また、監視画面表示手段１４３は、モニタ５に表示されている監視画面３０００（図５）の画像変化表示領域３２００に「錦帯橋カメラ  位置ずれ検知」を表示する（ステップＳ３３５−３）。
【００８３】
なお、図示は省略しているが、監視結果出力手段１４のログ出力手段１４４は、図１３のステップＳ３１５、図１４のステップＳ３２５、および、図１５のステップＳ３３５のそれぞれにおいて、「錦帯橋カメラ  フリーズ検知」、「錦帯橋カメラ  白飛び検知」、「錦帯橋カメラ  位置ずれ検知」の情報をその日時とともに、ログ情報として記憶手段２０に記憶するとともに、監視画面３０００（図５）のログ表示領域３３００に表示させる。
【００８４】
このようにすることで、解析パターン３の処理により、運用者は、「錦帯橋カメラ」の画像のフリーズ、白飛び、位置ずれを確実に認識することができる。
【００８５】
＜解析パターン４＞
図１６は、解析パターン４の処理の流れを示すフローチャートである。画面位置が「Pic1」でありリソース名が「局外１」のリソース映像を解析処理する例「解析パターン４」について説明する。
【００８６】
ここでは、図９のステップＳ１〜Ｓ３の初期設定において、映像監視装置１の解析パターン選択手段１２が、「Pic1」の子画面に表示されている文字情報として「局外１」を抽出し、設定ファイル２００内の初期設定情報２１０を参照して、文字認識情報２１３のうち「局外１」を検出することにより、解析パターン４を選択しているものとする。
【００８７】
映像監視装置１の解析処理手段１３は、解析処理が開始されると、設定ファイル２００の解析パターン設定情報２２０（図８）の「解析パターン４」で示される処理内容（シナリオ）を実行する。
【００８８】
具体的には、まず、画像切替検知手段１３１が、「局外１」に画面表示されている画像をキャプチャし、前後比較することにより、画像が切り替わったか否かを判定する（ステップＳ４０１）。なお、「局外１」のデフォルト画像は、「グリーン画像」である。画像切替検知手段１３１は、画像が切り替わっていないと判定した場合には（ステップＳ４０１→Ｎｏ）、処理を終了し、次の順の子画面の解析処理に移る。一方、画像が切り替わったと判定した場合には（ステップＳ４０１→Ｙｅｓ）、解析処理手段１３が、モニタ５に表示された監視画面３０００（図５）において配置された「処理開始」ボタン（例えば、図５の符号３００２）を点滅させる。これにより、運用者に「処理開始」ボタンの選択（クリック）を促す。そして、解析処理手段１３は、「処理開始」ボタンが選択されたことの入力情報を取得する（ステップＳ４０２）。このとき、タリー出力手段１４１が、当該リソース画像について、緑枠のタリー映像を出力し（ステップＳ４０３）。これにより、「局外１」のリソース映像が、解析処理中であることがマルチ画面上で示される。
【００８９】
なお、解析処理手段１３は、解析処理中に、例えば監視画面３０００において配置された「処理停止」ボタン（例えば、図５の符号３００３）が選択されたり、以降の解析処理中に異常が検知されず、当該リソース画像が「局外１」のデフォルト画像である「グリーン画像」に切り替わったことを検知した場合に、タリー出力手段１４１により、緑枠のタリー映像の出力を止めて消灯させる。
【００９０】
そして、映像監視装置１の解析処理手段１３は、フリーズ検知（ステップＳ４１０：図１７参照）、無音検知（ステップＳ４２０：図１８参照）を実行する。
【００９１】
（フリーズ検知）
図１７は、解析パターン４におけるフリーズ検知の具体例を説明するためのフローチャートである。
フリーズ検知手段１３２は、「局外１」に画面表示されている画像をキャプチャし、前後比較することにより、前後画像が同じであるかを判定する（ステップＳ４１１）。そして、フリーズ検知手段１３２は、前後画像が同じではないと判定した場合には（ステップＳ４１１→Ｎｏ）、処理を終了する（次ステップの経過時間のカウント（ｎ）＝０とする）。このとき、その以前にフリーズ検知されており、その後フリーズ検知が解消したときには、赤枠のタリー映像に代えて緑枠のタリー映像を出力して（ステップＳ４１２）、処理を終了する。一方、フリーズ検知手段１３２は、前後画像が同じであると判定した場合（ステップＳ４１１→Ｙｅｓ）、つまり、「フリーズ画像」であることを検知した場合には、検知した時点からの経過時間をカウント（ｎ）する（ステップＳ４１３）。
【００９２】
そして、フリーズ検知手段１３２は、「カウント（ｎ）＞ｋ」（例えば、ｋ＝5秒）となっているか、つまり、経過時間のカウント（ｎ）が所定時間ｋを超えているかを判定する（ステップＳ４１４）。フリーズ検知手段１３２は、カウント（ｎ）が所定時間ｋを超えていなければ（ステップＳ４１４→Ｎｏ）、処理を終了する。一方、フリーズ検知手段１３２は、カウント（ｎ）が所定時間ｋを超えていると判定すると（ステップＳ４１４→Ｙｅｓ）、監視結果出力手段１４が、次の処理を実行する。
【００９３】
タリー出力手段１４１は、当該リソース画像について、赤枠のタリー映像を出力し（ステップＳ４１５−１）、音声出力手段１４２がアラーム音（異常を知らせる警報音）をスピーカ６から出力する（ステップＳ４１５−２）。また、監視画面表示手段１４３は、モニタ５に表示されている監視画面３０００（図５）の画像変化表示領域３２００に「局外１  フリーズ検知」を表示する（ステップＳ４１５−３）。
【００９４】
（無音検知）
図１８は、解析パターン４における無音検知の具体例を説明するためのフローチャートである。
無音検知手段１３４は、「局外１」のリソース映像に表示される音声レベルメータを監視し、無音時の音声メータ画像であるかを判定する（ステップＳ４２１）。そして、無音検知手段１３４は、無音時の音声メータ画像でないと判定した場合には（ステップＳ４２１→Ｎｏ）、処理を終了する（次ステップの経過時間のカウント（ｎ）＝０とする）。このとき、その以前に無音検知されており、その後無音検知が解消したときには、赤枠のタリー映像に代えて緑枠のタリー映像を出力して（ステップＳ４２２）、処理を終了する。一方、無音検知手段１３４が、無音時の音声メータ画像であると判定（検知）した場合には（ステップＳ４２１→Ｙｅｓ）、検知した時点からの経過時間をカウント（ｎ）する（ステップＳ４２３）。
【００９５】
そして、無音検知手段１３４は、「カウント（ｎ）＞ｍ」（例えば、ｍ＝5秒）となっているか、つまり、経過時間のカウント（ｎ）が所定時間ｍを超えているかを判定する（ステップＳ４２４）。無音検知手段１３４は、カウント（ｎ）が所定時間ｍを超えていなければ（ステップＳ４２４→Ｎｏ）、処理を終了する。一方、無音検知手段１３４が、カウント（ｎ）が所定時間ｍを超えていると判定すると（ステップＳ４２４→Ｙｅｓ）、監視結果出力手段１４が、次の処理を実行する。
【００９６】
タリー出力手段１４１は、当該リソース画像について、赤枠のタリー映像を出力し（ステップＳ４２５−１）、音声出力手段１４２がアラーム音（異常を知らせる警報音）をスピーカ６から出力する（ステップＳ４２５−２）。また、監視画面表示手段１４３は、モニタ５に表示されている監視画面３０００（図５）の画像変化表示領域３２００に「局外１  無音検知」を表示する（ステップＳ４２５−３）。
【００９７】
なお、図示は省略しているが、監視結果出力手段１４のログ出力手段１４４は、図１７のステップＳ４１５、および、図１８のステップＳ４２５のそれぞれにおいて、「局外１  フリーズ検知」、「局外１  無音検知」の情報をその日時とともに、ログ情報として記憶手段２０に記憶するとともに、監視画面３０００（図５）のログ表示領域３３００に表示させる。
【００９８】
また、解析パターン４の例では、解析処理の「処理開始」と「処理停止」を、例えば、監視画面３０００（図５）の「処理開始」ボタン（符号３００２）や「処理停止」ボタン（符号３００３）により、運用者の指示情報を受け付けて実行するようにした。このようにすることで、運用者が所望する任意のタイミングで解析処理の開始や停止を実行させることができる。なお、図２において示したマルチ画面のうち、例えば、「Pic25」の「報道ＩＰ８」のリソース映像を、「仮設ＦＰＵ」のリソース映像に変更した場合には、「仮設ＦＰＵ」の解析処理について、例えば、監視画面３０００（図５）の「処理開始」ボタン（符号３００４）や「処理停止」ボタン（符号３００５）を設け、運用者の指示情報を受け付けて実行するようにしてもよい。
【００９９】
このようにすることで、解析パターン４の処理により、局外１のリソース映像のフリーズおよび無音の異常を確実に運用者に認識させることができる。
【０１００】
以上説明したように、本実施形態に係る、映像監視装置１および映像監視プログラムによれば、マルチ画面の状態変化を検出し、確実に運用者に知らせることができる。また、フリーズや白飛び等のリソース映像の異常を検出し、確実に運用者に知らせることができる。
【符号の説明】
【０１０１】
１      映像監視装置
５      モニタ
６      スピーカ
１０    制御手段
１１    映像読込手段
１２    解析パターン選択手段
１３    解析処理手段
１４    監視結果出力手段
１５    処理設定手段
２０    記憶手段
３０    入出力手段
１３１  画像切替検知手段
１３２  フリーズ検知手段
１３３  白飛び検知手段
１３４  無音検知手段
１３５  位置ずれ検知手段
１４１  タリー出力手段
１４２  音声出力手段
１４３  監視画面表示手段
１４４  ログ出力手段
２００  設定ファイル
２１０  初期設定情報
２２０  解析パターン設定情報
１０００  入力画像
２０００  出力画像
３０００  監視画面
３１００  マルチ画面領域
３２００  画像変化表示領域
３３００  ログ表示領域
【図１】
2020182118.tif 000003
【図２】
2020182118.tif 000004
【図３】
2020182118.tif 000005
【図４】
2020182118.tif 000006
【図５】
2020182118.tif 000007
【図６】
2020182118.tif 000008
【図７】
2020182118.tif 000009
【図８】
2020182118.tif 000010
【図９】
2020182118.tif 000011
【図１０】
2020182118.tif 000012
【図１１】
2020182118.tif 000013
【図１２】
2020182118.tif 000014
【図１３】
2020182118.tif 000015
【図１４】
2020182118.tif 000016
【図１５】
2020182118.tif 000017
【図１６】
2020182118.tif 000018
【図１７】
2020182118.tif 000019
【図１８】
2020182118.tif 000020